(57)【要約】　　　（修正有）【課題】多機能防振装置の提供。【解決手段】外枠１１、制動層１２、及び牽引ロッド１３が組み合わされてなり、該外枠が任意の形状の開放式或いは閉合式スリーブ体とされ、牽引ロッドが外枠に挿入された後に、牽引ロッドと外枠間に制動層が充填されて防振装置を形成し、各種の壁或いはテーブル、台に取り付けられ、牽引ロッド、制動層及び外枠間の異なる材料の硬度の違いにより、強度の比較的弱い材料に摩擦、引っ張り、剪断、押圧等の変形を発生させ、振動エネルギーを熱エネルギー或いはその他のエネルギーに変換して、振動を減らす効果を達成する。該外枠、牽引ロッド及び制動層は金属材料、非金属材料類は金属と非金属材料の組合せ材料で形成されうる。【選択図】　　　　図１
0003099964.tif 000002
【実用新案登録請求の範囲】
【請求項１】
　外枠、制動層、及び牽引ロッドが組み合わされてなり、該外枠が任意の形状の開放式或いは閉合式スリーブ体とされ、該外枠、該制動層、及び該牽引ロッドが硬度の異なる材料で形成され、牽引ロッドが外枠に挿入された後に、牽引ロッドと外枠の間に制動層が充填され、外枠内縁と牽引ロッドが制動層により相互に連接されて防振装置を形成し、主構造壁、非主構造壁への取り付け或いは台、テーブルへの使用に供され、外枠、牽引ロッド、制動層の間の硬度の違いにより強度が弱い材料に摩擦、引っ張り、剪断、押圧等の変形を発生させて、振動エネルギーを熱エネルギー或いはその他のエネルギーに変換して、振動を減らす機能を達成することを特徴とする、多機能防振装置。
【請求項２】
　請求項１記載の多機能防振装置において、外枠、牽引ロッド、及び制動層が硬度の異なる金属材料、非金属材料、或いは金属と非金属材料の組合せとされたことを特徴とする、多機能防振装置。
【請求項３】
　請求項１記載の多機能防振装置において、外枠の内縁と牽引ロッドの表面が平滑面、粗面とされるか或いはネジ山、鋸歯等の溝が形成されて制動層との結合に供されると共に異なる材料間の接触面積の改変に供されることを特徴とする、多機能防振装置。
【請求項４】
　請求項１記載の多機能防振装置において、外枠、外枠の内縁、牽引ロッド及び牽引ロッドに設けられた連接部が任意の形状、任意の数量の組合せとされ得て、必要に応じて外枠或いは牽引ロッドに任意の形状、任意の数量の孔が開設されたことを特徴とする、多機能防振装置。
【考案の詳細な説明】
【技術分野】
【０００１】
　本考案は一種の多機能防振装置に係り、特に応用範囲が広く、組付けが容易で、良好な防振効果を達成できる防振装置に関する。
【背景技術】
【０００２】
　環境の変化により、世界各地で地震の被害が続いている。このため振動防止或いは地震災害を最低まで減らすことが、現在の重要な課題となっている。現在の防振装置には、建物にダンピング壁を設けるものがあり、このダンピング壁は有限な空間内に油を入れて、油の遅滞性により防振作用を達成するものである。しかしその防振効果は１０％程度で、且つ一面の壁に一組のダンピング壁を取り付けると、体積が大きくなるという問題がある。また、ダンピング壁には窓、ドアを設置できず、さらに取り付け費用も相当に高いので理想的でない。
【考案の開示】
【考案が解決しようとする課題】
【０００３】
　本考案は、一種の多機能防振装置を提供することを目的とし、それは、開放式或いは閉合式のスリーブ状の外枠を牽引ロッドに套設し、並びに外枠内縁と牽引ロッド間に制動層を充填し、外枠と牽引ロッドを制動層により相互に連接し、これにより防振装置を形成し、各種の壁或いは台、テーブル等への取り付けに供し、牽引ロッド、制動層及び外枠間の異なる材料の硬度の違いにより、強度が比較的弱い材料に摩擦、引っ張り、剪断、押圧等の変形を発生させて、振動エネルギーを熱エネルギー或いはその他のエネルギーに変換して発散させ、これにより振動を減らす効果を達成するものとする。本考案はまた一つ以上の任意の数量及び任意の形状の外枠、牽引ロッド及び制動層の相互の結合により、異なる材料間の接触面積の大きさを改変し、これにより振動を下げる効果を調整できるものとする。前述の外枠、牽引ロッド及び制動層の材料は金属材料、非金属材料或いは金属材料と非金属材料の組合せとされうる。
【０００４】
　本考案のもう一つの目的は、一種の多機能防振装置を提供することにあり、それは、全体の構造の体積が小さく、そのため制限が少なく、取り付けが容易で、快速で、費用が低く、且つ積み重ね方式で施工することにより、一般の仕切り壁、内壁、外壁等のダンピング壁とすることができなかった主構造壁或いは非主構造壁に応用できるものとする。
【０００５】
　本考案の第３の目的は、一種の多機能防振装置を提供することにあり、それは、置物台或いはテーブル等に取り付けて防振と台面上の貴重な設備を保護する機能を有するものとする。
【０００６】
　本考案の第４の目的は、一種の多機能防振装置を提供することにあり、それは、外枠の材料を使用者の必要により防音材料、コンクリート等に改変でき、施工に便利とすることができ、常態で重量を受け、地震時に防振作用を形成することができるものとする。
【課題を解決するための手段】
【０００７】
　請求項１の考案は、外枠、制動層、及び牽引ロッドが組み合わされてなり、該外枠が任意の形状の開放式或いは閉合式スリーブ体とされ、該外枠、該制動層、及び該牽引ロッドが硬度の異なる材料で形成され、牽引ロッドが外枠に挿入された後に、牽引ロッドと外枠の間に制動層が充填され、外枠内縁と牽引ロッドが制動層により相互に連接されて防振装置を形成し、主構造壁、非主構造壁への取り付け或いは台、テーブルへの使用に供され、外枠、牽引ロッド、制動層の間の硬度の違いにより強度が弱い材料に摩擦、引っ張り、剪断、押圧等の変形を発生させて、振動エネルギーを熱エネルギー或いはその他のエネルギーに変換して、振動を減らす機能を達成することを特徴とする、多機能防振装置としている。
　請求項２の考案は、請求項１記載の多機能防振装置において、外枠、牽引ロッド、及び制動層が硬度の異なる金属材料、非金属材料、或いは金属と非金属材料の組合せとされたことを特徴とする、多機能防振装置としている。
　請求項３の考案は、請求項１記載の多機能防振装置において、外枠の内縁と牽引ロッドの表面が平滑面、粗面とされるか或いはネジ山、鋸歯等の溝が形成されて制動層との結合に供されると共に異なる材料間の接触面積の改変に供されることを特徴とする、多機能防振装置としている。
　請求項４の考案は、請求項１記載の多機能防振装置において、外枠、外枠の内縁、牽引ロッド及び牽引ロッドに設けられた連接部が任意の形状、任意の数量の組合せとされ得て、必要に応じて外枠或いは牽引ロッドに任意の形状、任意の数量の孔が開設されたことを特徴とする、多機能防振装置としている。
【考案の効果】
【０００８】
　本考案は伝統的な防振装置に較べ、少なくとも以下の長所を有している。
１．体積が小さく、施工条件の制限を受けず、且つ取り付けが便利で快速であり、防振効果が非常に優れている。
２．仕切り壁、内壁、外壁の主構造壁或いは非主構造壁に使用或いは置き換えることができ、並びに使用者の必要により窓やドアを設けることができ、居住空間、品質に影響を与えない。
【０００９】
　このほか、本考案は台、テーブル等の防振に応用でき、実用性と新規性を有している。
【考案を実施するための最良の形態】
【００１０】
　図１、２、３、４に示されるように、本考案は外枠１１、制動層１２、及び牽引ロッド１３が組み合わされてなり、該外枠１１は開放式或いは閉合式スリーブ体とされ、牽引ロッド１３はその前端に連接部１３１が設けられ、牽引ロッド１３が外枠１１に挿入された後、外枠１１の内縁と牽引ロッド１３の間に制動層１２が充填され、外枠１１と牽引ロッド１３が制動層１２で相互に連接され、防振装置１が形成される。この防振装置１は仕切り壁、内壁、外壁等の主構造壁或いは非主構造壁に取り付けられるか或いは置き換えられるほか、台、テーブル等に取り付けられて、牽引ロッド１３、制動層１２及び外枠１１間の異なる材料の硬度の違いにより、強度の比較的弱い材料に摩擦、引っ張り、剪断、押圧等の変形を発生させ、振動エネルギーを熱エネルギー或いはその他のエネルギーに変換して、エネルギーを発散させて振動を減らす効果を達成する。
【００１１】
　前述の外枠１１、制動層１２及び牽引ロッド１３は硬度の異なる金属材料、非金属材料、或いは金属と非金属材料の組合せとされ、この牽引ロッド１３の表面１３２と外枠１１の内縁１１１に光沢面、粗面、ネジ山或いは鋸歯、斜紋等の任意の溝が設けられ、制動層１２の結合、外枠１１の内縁１１１と制動層１２間の接触面積の改変に供される。
【００１２】
　図５に示されるように、本考案を壁２に取り付ける時は、積み重ね方式で一つずつ積み重ね、複数の防振装置１を重畳させた後に、さらに外層を防火材料或いは金属材料或いは非金属材料の壁２で被覆する。地震の時、図６、７に示されるように、外枠１１、制動層１２、牽引ロッド１３は硬度の異なる材料或いは同じ材料とされ、これにより強度が弱い材料（本考案では制動層１２としている）が摩擦、引っ張り、剪断、押圧等の変形を発生し、振動エネルギーを熱エネルギー或いはその他のエネルギーに変換して発散させ、これにより振動を減らす作用を達成する。
【００１３】
　図８に示されるように、本考案を壁２に取り付けるとき、そのスリーブ状の外枠１１は逆Ｕ形の外枠に改変可能で、さらに一つずつ重畳するよう組み合せる。
【００１４】
　図９、１０、１１に示されるように、本考案は異なる設計の要求により、任意の形状、任意の数量の外枠１１、外枠内縁１１１、牽引ロッド１３及び連接部１３１が相互に組み合わされ、必要により外枠或いは牽引ロッドに任意の形状、任意の数量の孔が開設され、これにより異なる材料間の接触面積が改変されて、振動を減らす効果が調整される。
【図面の簡単な説明】
【００１５】
【図１】本考案の分解斜視図である。
【図２】本考案の断面図である。
【図３】本考案の断面図である。
【図４】本考案の断面図である。
【図５】本考案を壁に取り付けた実施例図である。
【図６】本考案の動作実施例図である。
【図７】本考案の動作実施例図である。
【図８】本考案を壁に取り付けた別の実施例図である。
【図９】本考案の異なる形状の実施例図である。
【図１０】本考案の異なる形状の実施例図である。
【図１１】本考案の異なる形状の実施例図である。
【符号の説明】
【００１６】
１　防振装置　　　　　　１３１　連接部
１１　外枠　　　　　　　１３２　表面
１１１　内縁　　　　　　２　壁
１２　制動層　　　　　　１３　牽引ロッド
【図１】
0003099964.tif 000003
【図２】
0003099964.tif 000004
【図３】
0003099964.tif 000005
【図４】
0003099964.tif 000006
【図５】
0003099964.tif 000007
【図６】
0003099964.tif 000008
【図７】
0003099964.tif 000009
【図８】
0003099964.tif 000010
【図９】
0003099964.tif 000011
【図１０】
0003099964.tif 000012
【図１１】
0003099964.tif 000013